(57)【要約】【課題】非常に使い易く、収納や梱包にも便利なハンガーを提供すること。【解決手段】上部に引っ掛け部２を備えた基体１に、物を吊り下げる吊り下げ部３Ａを突設した複数の吊り下げ体３を多段に設け、この各吊り下げ体３は、基体１に対して水平方向に回動自在に設けると共に、基体１に沿ってスライド自在に設け、この各吊り下げ体３に、各吊り下げ体３同士を係止連結して一緒に回動可能な状態とする係止連結部４を設け、この係止連結部４は、各吊り下げ体３同士を接近スライドさせることで係止連結して、この係止連結した各吊り下げ体３同士を離反スライドさせることで係止解除する構成とし、この係止連結部４により各吊り下げ体３同士を係止連結した際、各吊り下げ体３の前記吊り下げ部３Ａが異なる向きに突出した状態となるように構成したハンガー。【選択図】        図１
2004329281.tif 000002
【特許請求の範囲】
【請求項１】
上部に引っ掛け部を備えた基体に、物を吊り下げる吊り下げ部を突設した複数の吊り下げ体を多段に設け、この各吊り下げ体は、基体に対して水平方向に回動自在に設けると共に、基体に沿ってスライド自在に設け、この各吊り下げ体に、各吊り下げ体同士を係止連結して一緒に回動可能な状態とする係止連結部を設け、この係止連結部は、各吊り下げ体同士を接近スライドさせることで係止連結して、この係止連結した各吊り下げ体同士を離反スライドさせることで係止解除する構成とし、この係止連結部により各吊り下げ体同士を係止連結した際、各吊り下げ体の前記吊り下げ部が異なる向きに突出した状態となるように構成したことを特徴とするハンガー。
【請求項２】
前記吊り下げ体は、前記基体にスライド自在に被嵌する筒部と、この筒部より突設する前記吊り下げ部とから成り、この筒部の端部に前記係止連結部を設けたことを特徴とする請求項１記載のハンガー。
【請求項３】
少なくとも下段に位置する前記吊り下げ体の筒部の上端部に凹部若しくは凸部を設け、この凹部若しくは凸部が嵌合係止する凸部若しくは凹部を、少なくとも上段に位置する吊り下げ体の筒部の下端部に設けて、前記係止連結部を構成したことを特徴とする請求項２記載のハンガー。
【請求項４】
前記基体は線材で構成し、この線材に前記吊り下げ体の筒部を被嵌することで、基体に対し吊り下げ体が筒部を介して水平方向に回動自在且つ基体に沿ってスライド自在となるように設けたことを特徴とする請求項２，３のいずれか１項に記載のハンガー。
【請求項５】
前記係止連結部により前記各吊り下げ体同士を係止連結した際、この各吊り下げ体の前記吊り下げ部が略直交方向に突出した状態となるように構成したことを特徴とする請求項１〜４のいずれか１項に記載のハンガー。
【請求項６】
前記基体は金属製線材で構成し、この金属製線材の上部を折曲して前記引っ掛け部を構成したことを特徴とする請求項１〜５のいずれか１項に記載のハンガー。
【発明の詳細な説明】
【０００１】
【発明の属する技術分野】
本発明は、例えば、フライパンや鍋やお玉などの台所用品を吊り下げることに適したハンガーに関するものである。
【０００２】
【従来の技術及び発明が解決しようとする課題】
従来から、台所用品、例えばお玉を吊り下げるハンガーとして、線材の上端を湾曲させて適宜な部位に引っ掛ける引っ掛け部を設け、この線材の下部にお玉の柄に形成された孔を係止してお玉を吊り下げる吊り下げ部を線材に対して放射方向、一般的には引っ掛け部に対して１８０度の位置に突設状態で固着した構造のものがある。
【０００３】
上記の場合、引っ掛け部に対して吊り下げ部の位置を可変できないため、極めて作業性が悪い。
【０００４】
また、この吊り下げ部を複数設け、一の吊り下げ部に対し、他の吊り下げ部の放射方向角度を異ならせた構造のものも提案されている。
【０００５】
しかし、この場合は、各吊り下げ部の放射方向角度が異なるため、収納時や梱包時にこの各吊り下げ部が邪魔となり、不便である。
【０００６】
本発明は、上記の問題点を解決したもので、極めて使い易いハンガーを提供するものである。
【０００７】
【課題を解決するための手段】
添付図面を参照して本発明の要旨を説明する。
【０００８】
上部に引っ掛け部２を備えた基体１に、物を吊り下げる吊り下げ部３Ａを突設した複数の吊り下げ体３を多段に設け、この各吊り下げ体３は、基体１に対して水平方向に回動自在に設けると共に、基体１に沿ってスライド自在に設け、この各吊り下げ体３に、各吊り下げ体３同士を係止連結して一緒に回動可能な状態とする係止連結部４を設け、この係止連結部４は、各吊り下げ体３同士を接近スライドさせることで係止連結して、この係止連結した各吊り下げ体３同士を離反スライドさせることで係止解除する構成とし、この係止連結部４により各吊り下げ体３同士を係止連結した際、各吊り下げ体３の前記吊り下げ部３Ａが異なる向きに突出した状態となるように構成したことを特徴とするハンガーに係るものである。
【０００９】
また、前記吊り下げ体３は、前記基体１にスライド自在に被嵌する筒部３Ｂと、この筒部３Ｂより突設する前記吊り下げ部３Ａとから成り、この筒部３Ｂの端部に前記係止連結部４を設けたことを特徴とする請求項１記載のハンガーに係るものである。
【００１０】
また、少なくとも下段に位置する前記吊り下げ体３の筒部３Ｂの上端部に凹部４Ａ若しくは凸部４Ｂを設け、この凹部４Ａ若しくは凸部４Ｂが嵌合係止する凸部４Ｂ若しくは凹部４Ａを、少なくとも上段に位置する吊り下げ体３の筒部３Ｂの下端部に設けて、前記係止連結部４を構成したことを特徴とする請求項２記載のハンガーに係るものである。
【００１１】
また、前記基体１は線材で構成し、この線材に前記吊り下げ体３の筒部３Ｂを被嵌することで、基体１に対し吊り下げ体３が筒部３Ｂを介して水平方向に回動自在且つ基体１に沿ってスライド自在となるように設けたことを特徴とする請求項２，３のいずれか１項に記載のハンガーに係るものである。
【００１２】
また、前記係止連結部４により前記各吊り下げ体３同士を係止連結した際、この各吊り下げ体３の前記吊り下げ部３Ａが略直交方向に突出した状態となるように構成したことを特徴とする請求項１〜４のいずれか１項に記載のハンガーに係るものである。
【００１３】
また、前記基体１は金属製線材で構成し、この金属製線材の上部を折曲して前記引っ掛け部２を構成したことを特徴とする請求項１〜５のいずれか１項に記載のハンガーに係るものである。
【００１４】
【発明の実施の形態】
好適と考える本発明の実施の形態（発明をどのように実施するか）を、図面に基づいてその作用効果を示して簡単に説明する。
【００１５】
引っ掛け部２を適宜な部位に引っ掛け、吊り下げ体３の吊り下げ部３Ａに例えばフライパンや鍋やお玉などの台所用品を吊り下げることができる。
【００１６】
この際、多段に設けた各吊り下げ体３は、基体１に対して自由に水平回動するため、吊り下げ部３Ａは引っ掛け部２に対して任意の位置とすることができる。従って、引っ掛け部２を所定の場所に引っ掛けた際に、この場所が狭くて周囲の部材が邪魔になりそうでも、各吊り下げ体３を適宜回動させることで、障害を回避でき、どのような場所においてもお玉など種々の物を吊り下げ部３Ａに吊り下げることができる。
【００１７】
また、各吊り下げ体３を接近スライドさせて係止連結部４により係止連結することで、各吊り下げ体３の吊り下げ部３Ａが異なる向きに突出した状態となるため、吊り下げ部３Ａの位置が上下の吊り下げ体３でダブることなく、これにより全ての吊り下げ部３Ａを利用して物を吊り下げても、他の吊り下げ物や他の吊り下げ部３Ａを回避し易い状態で吊り下げすることができる。
【００１８】
また、各吊り下げ体３は水平方向に回動するから、この吊り下げ体３の吊り下げ部３Ａに物が掛け易いし、係止連結部４によって一緒に水平回動するため、各吊り下げ体３を別々に回動操作せずとも、いずれか一つを回動操作することで例えば任意の吊り下げ部３Ａを容易に所望位置へと回動移動させることができ、しかも、この回動操作の際にも、各吊り下げ体３の吊り下げ部３Ａが異なる向きに突出した状態で維持されているから、吊り下げ物同士が干渉（接触）し合ったり吊り下げ物が他の吊り下げ部３Ａに接触したりしにくく、吊り下げ状態が安定的に維持されるなど、極めて使い易いこととなる。
【００１９】
また、各吊り下げ体３を離反スライドさせることで係止連結部４による係止連結状態を解除することができ、例えば図４に示すように各吊り下げ体３を適宜回動させて吊り下げ部３Ａの突出方向を揃えれば、かさばらないコンパクトな状態にできるので、収納や梱包に際して便利となる。
【００２０】
また、例えば、前記吊り下げ体３は、前記基体１にスライド自在に被嵌する筒部３Ｂと、この筒部３Ｂより突設する前記吊り下げ部３Ａとから成り、この筒部３Ｂの端部に前記係止連結部４を設ければ、基体１に対して水平方向に回動自在且つスライド自在な吊り下げ体３、及び前記作用・効果を確実に発揮する係止連結部４を簡易に設計実現可能となり、一層実用的となる。
【００２１】
また、例えば、少なくとも下段に位置する前記吊り下げ体３の筒部３Ｂの上端部に凹部４Ａ若しくは凸部４Ｂを設け、この凹部４Ａ若しくは凸部４Ｂが嵌合係止する凸部４Ｂ若しくは凹部４Ａを、少なくとも上段に位置する吊り下げ体３の筒部３Ｂの下端部に設けて、前記係止連結部４を構成すれば、前記作用・効果を確実に発揮する係止連結部４を極めて簡易な構成により容易に設計実現可能となり、一層実用的となる。
【００２２】
また、例えば、前記基体１は線材で構成し、この線材に前記吊り下げ体３の筒部３Ｂを被嵌することで、基体１に対し吊り下げ体３が筒部３Ｂを介して水平方向に回動自在且つ基体１に沿ってスライド自在となるように設ければ、基体１を簡易に設計実現可能となる上、この基体１に対して吊り下げ体３が水平方向に回動自在且つスライド自在となる構成も簡易に設計実現可能となり、一層実用的となる。
【００２３】
また、例えば、前記係止連結部４により前記各吊り下げ体３同士を係止連結した際、この各吊り下げ体３の前記吊り下げ部３Ａが略直交方向に突出した状態となるように構成すれば、全ての吊り下げ部３Ａに物を吊り下げた場合でも、吊り下げ物同士や、吊り下げ物と吊り下げ部３Ａとが干渉（接触）しにくいし、各吊り下げ体３を一緒に回動する際にも、同様な作用・効果を発揮するため、極めて実用的となる。
【００２４】
また、例えば、前記基体１は金属製線材で構成し、この金属製線材の上部を折曲して前記引っ掛け部２を構成すれば、引っ掛け部２を備えた強度の高い基体１を簡易に設計実現可能となり、一層実用的となる。
【００２５】
【実施例】
本発明の具体的な実施例について図面に基づいて説明する。
【００２６】
上部に引っ掛け部２を備えた基体１に、吊り下げ部３Ａを突設した複数の吊り下げ体３を多段に設けている。
【００２７】
本実施例の基体１は一本の金属製線材で構成し、各図に示すようにこの線材の上部を疑問符形状に湾曲（折曲）してこの上部折曲部を前記引っ掛け部２としている。
【００２８】
吊り下げ体３は、合成樹脂製とし、前記基体１に被嵌する筒部３Ｂと、この筒部３Ｂより突設する前記吊り下げ部３Ａとから成る構成としている。
【００２９】
更に詳しくは、各図に示すように、筒部３Ｂの対向側面に夫々フック形の吊り下げ部３Ａを一体成形した構成で、この筒部３Ｂを、基体１を構成する線材に対して水平方向に３６０度回動自在にして上下方向にスライド自在となるように被嵌装着している。
【００３０】
本実施例では、基体１に上下二段に吊り下げ体３を被嵌装着している。
【００３１】
また、基体１の下端寄りと、中程よりやや上側の位置とには、抜け止め部５をこの基体１（線材）から一体的に形成し、この上下の抜け止め部４間の基体１部位で二体の吊り下げ体３を水平回動自在且つ上下スライド自在に設けている。
【００３２】
本実施例では、この上下の各吊り下げ体３に、各吊り下げ体３同士を係止連結して一緒に回動可能な状態とする係止連結部４を設けている。
【００３３】
係止連結部４は、図３に示すように、下段の吊り下げ体３の筒部３Ｂの上端部に凹部４Ａを一体成形し、この凹部４Ａが嵌合係止する凸部４Ｂを上段の吊り下げ体３の筒部３Ｂの下端部に設けている。
【００３４】
従って、上下の各吊り下げ体３同士を接近スライドさせて筒部３Ｂ同士を接触することで、凹部４Ａと凸部４Ｂとを嵌合係止して係止連結状態にでき、この係止連結状態から各吊り下げ体３同士を離反スライドさせて凹部４Ａから凸部４Ｂを嵌脱することで係止解除できる構成としている。
【００３５】
また、本実施例では、この係止連結部４により各吊り下げ体３同士を係止連結した際、各吊り下げ体３の前記吊り下げ部３Ａが異なる向きに突出した状態となるように構成している。
【００３６】
具体的には、図１に示すように、係止連結部４により上下の吊り下げ体３同士を係止連結した際、この各吊り下げ体３の吊り下げ部３Ａが略直交方向に突出した状態となるように前記凹部４Ａと凸部４Ｂとの筒部３Ｂに対する形成位置を設定構成している。
【００３７】
従って、係止連結部４により上下の吊り下げ体３を係止連結すれば、一つの吊り下げ体３に対して二本ずつ、計四本の吊り下げ部３Ａが全て基体１（筒部３Ｂ）を中心にして９０度ごとに異なる四方へ突設した状態となるため、この四本の吊り下げ部３Ａの全てに物を吊り下げても、吊り下げ物がお互いを回避して干渉（接触）しにくく、且つ吊り下げ物が他の吊り下げ部３Ａに対しても干渉しにくい状態となるように構成している。
【００３８】
本実施例では、使用時は、係止連結部４を係止連結し（図１の態様）、収納時や梱包時は、係止連結部４を解除し（各吊り下げ体３を離反スライドさせ）、各吊り下げ体３を回動させて吊り下げ部３Ａの突出方向を揃え、かさばらないコンパクトな状態にする（図４の態様）。
【００３９】
図中符号６は、合成樹脂製のキャップである。
【００４０】
本実施例は上述のように構成したから、基体１は、金属製線材によって容易に構成可能であり、また、係止連結部４（凹部４Ａ、凸部４Ｂ）を備えた吊り下げ体３も、樹脂成形によって容易に設計実現可能であるため、本実施例のハンガーは容易に設計実現可能な構成であり、量産性に秀れ、安価な製品を提供可能となる。
【００４１】
尚、本発明は、本実施例に限られるものではなく、各構成要件の具体的構成は適宜設計し得るものである。
【００４２】
【発明の効果】
本発明は上述のように構成したから、非常に使い易く、且つ収納や梱包に際しても便利となる極めて実用性に秀れたハンガーとなる。
【００４３】
また、請求項２記載の発明においては、基体に対して水平方向に回動自在且つスライド自在な吊り下げ体、及び前記作用・効果を確実に発揮する係止連結部を簡易に設計実現可能となる一層実用性に秀れた構成のハンガーとなる。
【００４４】
また、請求項３記載の発明においては、前記作用・効果を確実に発揮する係止連結部を極めて簡易な構成により容易に設計実現可能となる一層実用性に秀れた構成のハンガーとなる。
【００４５】
また、請求項４記載の発明においては、基体を簡易に設計実現可能となる上、この基体に対して吊り下げ体が水平方向に回動自在且つスライド自在となる構成も簡易に設計実現可能となる一層実用性に秀れた構成のハンガーとなる。
【００４６】
また、請求項５記載の発明においては、全ての吊り下げ部に物を吊り下げても、吊り下げ物同士や吊り下げ物と吊り下げ部とが干渉（接触）しにくいし、各吊り下げ体を一緒に回動する際にも、同様な作用・効果を発揮することになるなど、極めて実用性に秀れた構成のハンガーとなる。
【００４７】
また、請求項６記載の発明においては、引っ掛け部を備えた強度の高い基体を簡易に設計実現可能となる一層実用性に秀れたハンガーとなる。
【図面の簡単な説明】
【図１】本実施例の使用状態を示す斜視図である。
【図２】図１の状態において、吊り下げ体及び基体両端部の端部のキャップを断面にした説明正面図である。
【図３】本実施例の上下の吊り下げ体を分離させた状態を示す斜視図である。
【図４】本実施例の吊り下げ体の吊り下げ部の突出向きを揃えた状態を示す正面図である。
【符号の説明】
１  基体
２  引っ掛け部
３  吊り下げ体
３Ａ  吊り下げ部
３Ｂ  筒部
４  係止連結部
４Ａ  凹部
４Ｂ  凸部
【図１】
2004329281.tif 000003
【図２】
2004329281.tif 000004
【図３】
2004329281.tif 000005
【図４】
2004329281.tif 000006